(57)【要約】【課題】  個々にＩＣタグを装着した退場者の管理を展示会等において実行する場合に、低コスト化、保全性の向上並びにネットワーク内の情報の授受料を低減してリーダライタを正確且つ完全に制御することが可能な情報処理システムを提供する。【解決手段】  各リーダライタ１Ａ等の稼動開始時において、稼動中においてリーダライタ１Ａ等が実行すべき動作の内容を示す動作内容情報をリーダライタ１Ａ等に送信すべき旨を要求する要求情報をホストコントローラ２０に送信し、いずれかのリーダライタ１Ａ等から要求情報が送信されてきたとき、要求情報に対応する動作内容情報を、要求情報を送信してきたリーダライタ１Ａ等にホストコントローラ２０から送信し、送信されてきた動作内容情報を各リーダライタ１Ａ等において受信し、稼動中において動作内容情報により示される内容の動作を各リーダライタ１Ａ等において実行する。【選択図】  図１
2006163668.tif 000002
【特許請求の範囲】
【請求項１】
記録媒体に記録されている情報の非接触による読み取り又は当該記録媒体に対する情報の非接触による書込みの少なくともいずれか一方を行う情報読取書込装置と、一又は複数の前記情報読取書込装置を制御する制御装置と、を含む情報処理システムにおいて、
各前記情報読取書込装置は、
当該情報読取書込装置の稼動開始時において、当該稼動中において当該情報読取書込装置が実行すべき動作の内容を示す動作内容情報を当該情報読取書込装置に送信すべき旨を要求する要求情報を前記制御装置に送信する要求手段と、
前記送信された要求情報に対応して前記制御装置から送信されてきた前記動作内容情報を受信する受信手段と、
前記稼動中において前記受信した動作内容情報により示される内容の動作を実行する実行手段と、
を備え、
前記制御装置は、
各前記情報読取書込装置毎に当該情報読取書込装置に実行させるべき動作の内容に対応する前記動作内容情報を前記情報読取書込装置毎に記憶する内容情報記憶手段と、
いずれかの前記情報読取書込装置から前記要求情報が送信されてきたとき、当該送信されてきた要求情報に対応する前記動作内容情報を、当該要求情報を送信してきた前記情報読取書込装置に送信する送信手段と、
を備えることを特徴とする情報処理システム。
【請求項２】
請求項１に記載の情報処理システムにおいて、
前記動作は、前記記録媒体から前記情報読取書込装置により読み取られた前記情報を前記制御装置に送信する動作であり、
各前記情報読取書込装置内の前記実行手段は、前記読み取られた情報を前記制御装置に送信する情報送信手段を備え、
前記制御装置は、前記送信されてきた情報を蓄積・記憶する蓄積手段を更に備えることを特徴とする情報処理システム。
【請求項３】
請求項２に記載の情報処理システムにおいて、
各前記情報読取書込装置は、前記記録媒体に記録されている前記情報のうち、前記動作内容情報により示される当該情報のみを読み取ることを特徴とする情報処理システム。
【請求項４】
請求項１に記載の情報処理システムにおいて、
前記動作は、前記動作内容情報により示される前記情報を前記記録媒体に前記情報読取書込装置により書き込む動作であり、
各前記情報読取書込装置内の前記実行手段は、前記示される情報を前記記録媒体に書き込む書込手段を備えることを特徴とする情報処理システム。
【請求項５】
請求項４に記載の情報処理システムにおいて、
各前記情報読取書込装置は、前記動作内容情報により示される前記情報のみを当該動作内容情報により示される前記記録媒体の領域に書き込むことを特徴とする情報処理システム。
【請求項６】
請求項１から５のいずれか一項に記載の情報処理システムにおいて、
各前記情報読取書込装置は、当該各情報読取書込装置が正常に稼動中であることを示す稼動中情報を、予め設定されているタイミングで前記制御装置に送信する稼動中情報送信手段を更に備えることを特徴とする情報処理システム。
【請求項７】
請求項１から６のいずれか一項に記載の情報処理システムに含まれている前記情報読取書込装置であって、
前記要求手段と、
前記受信手段と、
前記実行手段と、
を備えることを特徴とする情報読取書込装置。
【請求項８】
記録媒体に記録されている情報の非接触による読み取り又は当該記録媒体に対する情報の非接触による書込みの少なくともいずれか一方を行う情報読取書込装置と、一又は複数の前記情報読取書込装置を制御する制御装置であって各前記情報読取書込装置毎に当該情報読取書込装置に実行させるべき動作の内容に対応する前記動作内容情報を前記情報読取書込装置毎に記憶する内容情報記憶手段を備える制御装置と、を含む情報処理システムにおいて実行される情報処理方法において、
各前記情報読取書込装置の稼動開始時において、当該稼動中において当該情報読取書込装置が実行すべき動作の内容を示す動作内容情報を当該情報読取書込装置に送信すべき旨を要求する要求情報を各前記情報読取書込装置から前記制御装置に送信する要求工程と、
いずれかの前記情報読取書込装置から前記制御装置に対して前記要求情報が送信されてきたとき、当該送信されてきた要求情報に対応する前記動作内容情報を、前記内容情報記憶手段から読み出して当該要求情報を送信してきた前記情報読取書込装置に前記制御装置から送信する送信工程と、
前記送信された要求情報に対応して前記制御装置から送信されてきた前記動作内容情報を各前記情報読取書込装置において受信する受信工程と、
前記稼動中において前記受信した動作内容情報により示される内容の動作を各前記情報読取書込装置において実行する実行工程と、
を含むことを特徴とする情報処理方法。
【請求項９】
請求項１に記載の情報処理システムに含まれる前記制御装置に含まれる制御コンピュータを、
前記内容情報記憶手段及び前記送信手段として機能させることを特徴とする制御プログラム。
【請求項１０】
請求項１に記載の情報処理システムに含まれる各前記情報読取書込装置に夫々含まれる情報読取書込コンピュータを、
前記要求手段、前記受信手段及び前記実行手段として夫々機能させることを特徴とする情報読取書込プログラム。
【請求項１１】
請求項９に記載の制御プログラムが前記制御コンピュータにより読取可能に記録されていることを特徴とする情報記録媒体。
【請求項１２】
請求項１０に記載の情報読取書込プログラムが前記情報読取書込コンピュータにより読取可能に記録されていることを特徴とする情報記録媒体。
【発明の詳細な説明】
【技術分野】
【０００１】
本発明は、情報処理システム、情報読取書込装置、制御装置、情報処理方法、制御プログラム、情報読取書込プログラム並びに情報記録媒体の技術分野に属し、より詳細には、ＩＣ（Integrated Circuit）タグ等の記録媒体に記録されている情報の非接触による読み取り又は当該記録媒体に対する情報の非接触による書込みの少なくともいずれか一方を行うＩＣタグリーダ／ライタ等の情報読取書込装置と、一又は複数の情報読取書込装置を制御するホストコントローラ等の制御装置と、を含む情報処理システム、当該情報処理システムに含まれる情報読取書込装置及び制御装置、当該情報処理システムにおいて実行される情報処理方法、当該制御装置用の制御プログラム、当該情報読取書込装置用の情報読取書込プログラム並びに各プログラムがコンピュータで読取可能に記録されていた情報記録媒体の技術分野に属する。
【背景技術】
【０００２】
近年、流通する商品個々に貼り付けられ、当該商品個々を識別するための情報を無線通信により送受信する、いわゆるＩＣタグに関する開発が盛んに行われている。
【０００３】
ここで一般に、ＩＣタグは、無線通信により当該ＩＣタグに情報を書き込む情報書込装置又は当該ＩＣタグから無線通信により情報を読み取る情報読取装置と共に用いられることでその機能を発揮するものであり、最近では空港における手荷物の流通管理に対して応用するための実験も行われ始めている。
【０００４】
また、当該ＩＣタグを複数用いて構成される管理システムの例としては、例えば以下に示す特許文献１及び２に記載されたものである。
【特許文献１】特開平１１−１３０２１３号公報
【０００５】
この特許文献１には、システムラックにＩＣタグリーダ／ライタ（以下、単にリーダライタと称する）を複数箇所設置し、これらと接続されたシステムコントローラにより当該システムラック内の商品の管理を行う技術が開示されている。
【特許文献２】特開２００４−９７６８９号公報
【０００６】
この特許文献２には、リーダライタを夫々に内蔵するパチンコ台の集中管理システについての技術が開示されている。
【０００７】
更に、複数のリーダライタをネットワークで相互の情報の授受が可能に接続する一般的な技術としては、例えば下記特許文献３に示されるように、リーダライタとそれに接続された専用のパーソナルコンピュータとにより一つのサブシステムを構成し、このサブシステムを末端システムとしてホストコントローラにより集中的に管理する方法がある。
【特許文献３】特開２００３−５８６１９
【発明の開示】
【発明が解決しようとする課題】
【０００８】
このように、従来のＩＣタグを用いるシステムは、一つのサブシステム内にリーダライタとその制御用のパーソナルコンピュータとが一台ずつ含まれていたため、リーダライタを増やすとその分だけパーソナルコンピュータも増えることとなり、結果として、例えば、展示会等の恒常的でない場に上記ＩＣタグを用いるシステムを設置する場合、多大な人的、物的及び時間的コストがかかるという問題点があった。
【０００９】
また、上記諸コストの削減のために一台のパーソナルコンピュータを用いて全てのリーダライタを制御することも考えられるが、この場合はリーダライタとパーソナルコンピュータとの間のネットワーク上の情報の授受量が飛躍的に増大してしまい、結果として、各リーダライタ夫々の制御として不完全・不正確なものとなる場合があるという問題点があった。
【００１０】
更に、一般のパーソナルコンピュータは汎用の基本システム（オペレーティングシステム）が採用されている場合が多く、このため、ある程度の知識を持ったものであればどのようにもそのパーソナルコンピュータを操作することが可能となり、この場合、ＩＣタグに例えば個人情報等が記録されている場合には、その個人情報が外部に漏洩する場合があるという問題点があった。
【００１１】
そこで、本発明は上記の各問題点に鑑みて為されたもので、その課題は、例えば、個々にＩＣタグを装着した入退場者の管理を展示会等において実行する場合に、低コスト化、保全性の向上並びにネットワーク内の情報の授受量を低減してリーダライタを正確且つ完全に制御することが可能な情報処理システム、当該情報処理システムに含まれるＩＣタグリーダ／ライタ及びホストコントローラ、当該情報処理システムにおいて実行される情報処理方法、当該ホストコントローラ用の制御プログラム、当該リーダライタ用の情報読取書込プログラム並びに各プログラムがコンピュータで読取可能に記録されていた情報記録媒体を提供することにある。
【課題を解決するための手段】
【００１２】
上記の課題を解決するために、請求項１に記載の発明は、記録媒体に記録されている情報の非接触による読み取り又は当該記録媒体に対する情報の非接触による書込みの少なくともいずれか一方を行うリーダライタ等の情報読取書込装置と、一又は複数の前記情報読取書込装置を制御するホストコントローラ等の制御装置と、を含む情報処理システムにおいて、各前記情報読取書込装置は、当該情報読取書込装置の稼動開始時において、当該稼動中において当該情報読取書込装置が実行すべき動作の内容を示す動作内容情報を当該情報読取書込装置に送信すべき旨を要求する要求情報を前記制御装置に送信するＣＰＵ等の要求手段と、前記送信された要求情報に対応して前記制御装置から送信されてきた前記動作内容情報を受信するＣＰＵ等の受信手段と、前記稼動中において前記受信した動作内容情報により示される内容の動作を実行するＣＰＵ等の実行手段と、を備え、前記制御装置は、各前記情報読取書込装置毎に当該情報読取書込装置に実行させるべき動作の内容に対応する前記動作内容情報を前記情報読取書込装置毎に記憶するメモリ等の内容情報記憶手段と、いずれかの前記情報読取書込装置から前記要求情報が送信されてきたとき、当該送信されてきた要求情報に対応する前記動作内容情報を、当該要求情報を送信してきた前記情報読取書込装置に送信するホストコントローラ等の送信手段と、を備える。
【００１３】
よって、各情報読取書込装置の稼動開始時において動作内容情報を制御装置から夫々取得し、当該取得した動作内容情報により示される動作を当該各情報読取書込装置の稼動中に当該各情報読取書込装置において実行するので、動作内容情報を一括して制御装置から取得し、その後は当該動作内容情報により示される動作を各情報読取書込装置において実行することで、制御装置及び各情報読取書込装置のみにより必要な情報処理システムを構成して当該情報処理システム構築に費やす人的、物的及び時間的コストを削減することができる。
【００１４】
また、動作内容情報の授受を各情報読取書込装置の稼動開始時において一度に行うので、制御装置と各情報読取書込装置との間の情報の授受量を削減することができる。
【００１５】
更に、各情報読取書込装置毎に専用の制御装置として汎用のパーソナルコンピュータ等を用いる必要がないので、情報処理システムの規模を縮小できると共に各情報読取書込装置と制御措置との間の情報授受の保全性を高めることができる。
【００１６】
上記の課題を解決するために、請求項２に記載の発明は、請求項１に記載の情報処理システムにおいて、前記動作は、前記記録媒体から前記情報読取書込装置により読み取られた前記情報を前記制御装置に送信する動作であり、各前記情報読取書込装置内の前記実行手段は、前記読み取られた情報を前記制御装置に送信する情報送信手段を備え、前記制御装置は、前記送信されてきた情報を蓄積・記憶する会場用データベース等の蓄積手段を更に備える。
【００１７】
よって、記録媒体からの非接触による情報の読み取り並びに制御装置への送信を、低コストの情報処理システムにより保全性を高めつつ且つ少ない情報の授受量で実現することができる。
【００１８】
上記の課題を解決するために、請求項３に記載の発明は、請求項２に記載の情報処理システムにおいて、各前記情報読取書込装置は、前記記録媒体に記録されている前記情報のうち、前記動作内容情報により示される当該情報のみを読み取るように構成される。
【００１９】
よって、動作内容情報により示される記録媒体内の情報のみを読み取るので、記録媒体に記録されている情報の保全性を更に高めることができる。
【００２０】
上記の課題を解決するために、請求項４に記載の発明は、請求項１に記載の情報処理システムにおいて、前記動作は、前記動作内容情報により示される前記情報を前記記録媒体に前記情報読取書込装置により書き込む動作であり、各前記情報読取書込装置内の前記実行手段は、前記示される情報を前記記録媒体に書き込む書込手段を備える。
【００２１】
よって、記録媒体に対する非接触による情報の書込みを、低コストの情報処理システムにより保全性を高めつつ且つ少ない情報の授受量で実現することができる。
【００２２】
上記の課題を解決するために、請求項５に記載の発明は、請求項４に記載の情報処理システムにおいて、各前記情報読取書込装置は、前記動作内容情報により示される前記情報のみを当該動作内容情報により示される前記記録媒体の領域に書き込むように構成される。
【００２３】
よって、動作内容情報により示される情報のみを当該動作内容情報により示される記録媒体内の領域に書き込むので、記録媒体への情報の記録における情報の保全性を更に高めることができる。
【００２４】
上記の課題を解決するために、請求項６に記載の発明は、請求項１から５のいずれか一項に記載の情報処理システムにおいて、各前記情報読取書込装置は、当該各情報読取書込装置が正常に稼動中であることを示す稼動中情報を、予め設定されているタイミングで前記制御装置に送信する稼動中情報送信手段を更に備える。
【００２５】
よって、稼動中情報が予め設定されたタイミングで各情報読取書込装置から制御装置に送信されるので、制御装置において各情報読取書込装置が稼動中か否かを把握することができる。
【００２６】
上記の課題を解決するために、請求項７に記載の発明は、請求項１から６のいずれか一項に記載の情報処理システムに含まれている前記情報読取書込装置であって、前記要求手段と、前記受信手段と、前記実行手段と、を備える。
【００２７】
よって、記録媒体を用いて非接触により実行される情報の処理を、低コストの情報処理システムにより保全性を高めつつ且つ少ない情報の授受量で実現することができる。
【００２８】
上記の課題を解決するために、請求項８に記載の発明は、記録媒体に記録されている情報の非接触による読み取り又は当該記録媒体に対する情報の非接触による書込みの少なくともいずれか一方を行う情報読取書込装置と、一又は複数の前記情報読取書込装置を制御する制御装置であって各前記情報読取書込装置毎に当該情報読取書込装置に実行させるべき動作の内容に対応する前記動作内容情報を前記情報読取書込装置毎に記憶する内容情報記憶手段を備える制御装置と、を含む情報処理システムにおいて実行される情報処理方法において、各前記情報読取書込装置の稼動開始時において、当該稼動中において当該情報読取書込装置が実行すべき動作の内容を示す動作内容情報を当該情報読取書込装置に送信すべき旨を要求する要求情報を各前記情報読取書込装置から前記制御装置に送信する要求工程と、いずれかの前記情報読取書込装置から前記制御装置に対して前記要求情報が送信されてきたとき、当該送信されてきた要求情報に対応する前記動作内容情報を、前記内容情報記憶手段から読み出して当該要求情報を送信してきた前記情報読取書込装置に前記制御装置から送信する送信工程と、前記送信された要求情報に対応して前記制御装置から送信されてきた前記動作内容情報を各前記情報読取書込装置において受信する受信工程と、前記稼動中において前記受信した動作内容情報により示される内容の動作を各前記情報読取書込装置において実行する実行工程と、を含む。
【００２９】
よって、各情報読取書込装置の稼動開始時において動作内容情報を制御装置から夫々取得し、当該取得した動作内容情報により示される動作を当該各情報読取書込装置の稼動中に当該各情報読取書込装置において実行するので、動作内容情報を一括して制御装置から取得し、その後は当該動作内容情報により示される動作を各情報読取書込装置において実行することで、制御装置及び各情報読取書込装置のみにより必要な情報処理システムを構成して当該情報処理システム構築に費やす人的、物的及び時間的コストを削減することができる。
【００３０】
また、動作内容情報の授受を各情報読取書込装置の稼動開始時において一度に行うので、制御装置と各情報読取書込装置との間の情報の授受量を削減することができる。
【００３１】
更に、各情報読取書込装置毎に専用の制御装置として汎用のパーソナルコンピュータ等を用いる必要がないので、情報処理システムの規模を縮小できると共に各情報読取書込装置と制御措置との間の情報授受の保全性を高めることができる。
【００３２】
上記の課題を解決するために、請求項９に記載の発明は、請求項１に記載の情報処理システムに含まれる前記制御装置に含まれる制御コンピュータを、前記内容情報記憶手段及び前記送信手段として機能させる。
【００３３】
よって、記録媒体を用いて非接触により実行される情報の処理を、当該制御装置を含んだ低コストの情報処理システムにより保全性を高めつつ且つ少ない情報の授受量で実現することができる。
【００３４】
上記の課題を解決するために、請求項１０に記載の発明は、請求項１に記載の情報処理システムに含まれる各前記情報読取書込装置に夫々含まれる情報読取書込コンピュータを、前記要求手段、前記受信手段及び前記実行手段として夫々機能させる。
【００３５】
よって、記録媒体を用いて非接触により実行される情報の処理を、当該情報読取書込装置を含んだ低コストの情報処理システムにより保全性を高めつつ且つ少ない情報の授受量で実現することができる。
【００３６】
上記の課題を解決するために、請求項１１に記載の発明は、請求項９に記載の制御プログラムが前記制御コンピュータにより読取可能に記録されている。
【００３７】
よって、当該制御プログラムを読み取って制御コンピュータにより実行することで、記録媒体を用いて非接触により実行される情報の処理を、当該制御コンピュータを備える制御装置を含んだ低コストの情報処理システムにより保全性を高めつつ且つ少ない情報の授受量で実現することができる。
【００３８】
上記の課題を解決するために、請求項１２に記載の発明は、請求項１０に記載の情報読取書込プログラムが前記情報読取書込コンピュータにより読取可能に記録されている。
【００３９】
よって、当該情報読取書込プログラムを読み取って情報読取書込コンピュータにより実行することで、記録媒体を用いて非接触により実行される情報の処理を、当該情報読取書込コンピュータを備える情報読取書込装置を含んだ低コストの情報処理システムにより保全性を高めつつ且つ少ない情報の授受量で実現することができる。
【発明の効果】
【００４０】
以上説明したように、請求項１に記載の発明によれば、各情報読取書込装置の稼動開始時において動作内容情報を制御装置から夫々取得し、当該取得した動作内容情報により示される動作を当該各情報読取書込装置の稼動中に当該各情報読取書込装置において実行するので、動作内容情報を一括して制御装置から取得し、その後は当該動作内容情報により示される動作を各情報読取書込装置において実行することで、制御装置及び各情報読取書込装置のみにより必要な情報処理システムを構成して当該情報処理システム構築に費やす人的、物的及び時間的コストを削減することができる。
【００４１】
従って、当該情報処理システムを用いて、例えば展示会における入退場者の管理を実行する場合等において、効率的に必要な情報処理を実行することができる。
【００４２】
また、動作内容情報の授受を各情報読取書込装置の稼動開始時において一度に行うので、制御装置と各情報読取書込装置との間の情報の授受量を削減することができる。
【００４３】
更に、各情報読取書込装置毎に専用の制御装置として汎用のパーソナルコンピュータ等を用いる必要がないので、情報処理システムの規模を縮小できると共に各情報読取書込装置と制御措置との間の情報授受の保全性を高めることができる。
【００４４】
請求項２に記載の発明によれば、請求項１に記載の発明の効果に加えて、記録媒体からの非接触による情報の読み取り並びに制御装置への送信を、低コストの情報処理システムにより保全性を高めつつ且つ少ない情報の授受量で実現することができる。
【００４５】
請求項３に記載の発明によれば、請求項２に記載の発明の効果に加えて、動作内容情報により示される記録媒体内の情報のみを読み取るので、記録媒体に記録されている情報の保全性を更に高めることができる。
【００４６】
請求項４に記載の発明によれば、請求項１に記載の発明の効果に加えて、記録媒体に対する非接触による情報の書込みを、低コストの情報処理システムにより保全性を高めつつ且つ少ない情報の授受量で実現することができる。
【００４７】
請求項５に記載の発明によれば、請求項４に記載の発明の効果に加えて、動作内容情報により示される情報のみを当該動作内容情報により示される記録媒体内の領域に書き込むので、記録媒体への情報の記録における情報の保全性を更に高めることができる。
【００４８】
請求項６に記載の発明によれば、請求項１から５のいずれか一項に記載の発明の効果に加えて、稼動中情報が予め設定されたタイミングで各情報読取書込装置から制御装置に送信されるので、制御装置において各情報読取書込装置が稼動中か否かを把握することができる。
【００４９】
請求項７に記載の発明によれば、記録媒体を用いて非接触により実行される情報の処理を、低コストの情報処理システムにより保全性を高めつつ且つ少ない情報の授受量で実現することができる。
【００５０】
請求項８に記載の発明によれば、各情報読取書込装置の稼動開始時において動作内容情報を制御装置から夫々取得し、当該取得した動作内容情報により示される動作を当該各情報読取書込装置の稼動中に当該各情報読取書込装置において実行するので、動作内容情報を一括して制御装置から取得し、その後は当該動作内容情報により示される動作を各情報読取書込装置において実行することで、制御装置及び各情報読取書込装置のみにより必要な情報処理システムを構成して当該情報処理システム構築に費やす人的、物的及び時間的コストを削減することができる。
【００５１】
従って、当該情報処理システムを用いて、例えば展示会における入退場者の管理を実行する場合等において、効率的に必要な情報処理を実行することができる。
【００５２】
また、動作内容情報の授受を各情報読取書込装置の稼動開始時において一度に行うので、制御装置と各情報読取書込装置との間の情報の授受量を削減することができる。
【００５３】
更に、各情報読取書込装置毎に専用の制御装置として汎用のパーソナルコンピュータ等を用いる必要がないので、情報処理システムの規模を縮小できると共に各情報読取書込装置と制御措置との間の情報授受の保全性を高めることができる。
【００５４】
請求項９に記載の発明によれば、記録媒体を用いて非接触により実行される情報の処理を、制御装置を含んだ低コストの情報処理システムにより保全性を高めつつ且つ少ない情報の授受量で実現することができる。
【００５５】
請求項１０に記載の発明によれば、記録媒体を用いて非接触により実行される情報の処理を、情報読取書込装置を含んだ低コストの情報処理システムにより保全性を高めつつ且つ少ない情報の授受量で実現することができる。
【００５６】
請求項１１に記載の発明によれば、当該制御プログラムを読み取って制御コンピュータにより実行することで、記録媒体を用いて非接触により実行される情報の処理を、当該制御コンピュータを備える制御装置を含んだ低コストの情報処理システムにより保全性を高めつつ且つ少ない情報の授受量で実現することができる。
【００５７】
請求項１２に記載の発明によれば、当該情報読取書込プログラムを読み取って情報読取書込コンピュータにより実行することで、記録媒体を用いて非接触により実行される情報の処理を、当該情報読取書込コンピュータを備える情報読取書込装置を含んだ低コストの情報処理システムにより保全性を高めつつ且つ少ない情報の授受量で実現することができる。
【発明を実施するための最良の形態】
【００５８】
次に、本発明を実施するための最良の形態について、図面に基づいて説明する。なお、以下に説明する実施形態は、複数のブース（当該展示会場に出展する出展者毎の展示場を言う。以下、同じ）を含む展示会場に入退場する人の管理を、当該入退場する人が携行するＩＣタグを用いて行う入退場管理システムに対して本発明を適用した場合の実施の形態である。
【００５９】
（Ｉ）第１実施形態
始めに、本発明に係る第１実施形態について、図１乃至図７を用いて説明する。
【００６０】
なお、図１は第１実施形態に係る入退場管理システムの概要構成を示すブロック図であり、図２は第１実施形態に係るリーダライタの概要構成を示すブロック図であり、図３は入退場する人の流れ及び携行されるＩＣタグに記録される情報を示す図であり、図４は第１実施形態に係る入退場管理システムに含まれる各データベースの内容を例示する図であり、図５は当該入退場管理システムの動作を示すフローチャートであり、図６は当該入退場管理システム内において授受される情報の内容を例示する図であり、図７は当該入退場管理システムにおける細部動作を示すフローチャートであり、図８は当該細部動作に対応する動作内容情報の内容を例示する図である。
【００６１】
図１に示すように、第１実施形態に係る入退場管理システムＳは、情報読取書込装置としてのリーダライタ１Ａを備える入場受付１と、リーダライタ２Ａを備える退場受付２と、が設けられた展示会場Ｆ内に設けられるものである。
【００６２】
そして、当該展示会場Ｆ内には、例えば二つのブースＢ１及びＢ２が設営されている。更にブースＢ１は、当該ブース用の展示装置４と、ブース用データベース（図１においてＤ／Ｂと示す）５と、リーダライタ３Ａを備えるブース受付３と、退場者用のリーダライタ６Ａと、により構成されている。また、ブースＢ２は、当該ブース用の展示装置８と、ブース用データベース９と、リーダライタ７Ａを備えるブース受付７と、退場者用のリーダライタ１０Ａと、により構成されている。そして、リーダライタ３Ａとリーダライタ６Ａとがブース用データベース５に接続されて情報の授受が相互に可能に構成され、更にリーダライタ７Ａとリーダライタ１０Ａとがブース用データベース９に接続されて情報の授受が相互に可能に構成されている。
【００６３】
また、各リーダライタ１Ａ（他のリーダライタ２Ａ、３Ａ、６Ａ、７Ａ又は１０Ａにおいても構成は同じ）は、ホストコントローラ２０等との情報の授受を制御するネットワーク制御部１５と、ＩＣタグＴＧとの間で無線により情報の授受を行うアンテナ１９と、当該アンテナ１９に対する変調処理及び復調処理を行うアンテナ制御部１８と、上記ネットワーク制御部１５及びアンテナ制御部１８を統括制御する要求手段、受信手段、実行手段、書込手段及び稼動中情報送信手段としてのＣＰＵ１６と、当該ＣＰＵ１６としての機能を有する際に必要な情報を一時的に記憶すると共に必要に応じてＣＰＵ１６に出力するメモリ１７と、により構成されている。
【００６４】
更に、展示会場Ｆ全体の入退場管理用としての第１実施形態に係る制御装置及び送信手段としてのホストコントローラ２０は、リーダライタ１Ａ及び２Ａ並びに蓄積手段としての会場用データベース２１と接続されて情報の授受が相互に可能に構成されている。なお、当該ホストコントローラ２０は、内容情報記憶手段としてのメモリ２０Ａを内蔵している。
【００６５】
上記した構成を有する展示会場Ｆに入場しようとする入場者Ｐは、夫々にＩＣタグＴＧを携行しており、図１中二重矢印で示すような経路で各ブースＢ１又はＢ２の少なくともいずれか一方を見学する。そして、当該見学の経路上において、入場者Ｐは、各リーダライタ１Ａ、３Ａ、６Ａ、７Ａ、１０Ａ及び２Ａとの間で夫々必要な情報の授受が可能なように当該各リーダライタ１Ａ、３Ａ、６Ａ、７Ａ、１０Ａ及び２Ａに対して自己が携行するＩＣタグＴＧを翳すことになる。
【００６６】
すなわち、図３（ａ）に示すように、展示会場Ｆに到着した入場者Ｐは、入場受付１において（又は予め）用意されているＩＣタグＴＧを受け取り、必要な事項等を書面に記入すると共に展示会場Ｆへの入場時刻を含む必要な情報をリーダライタ１Ａを用いてＩＣタグＴＧに書き込ませる等の入場手続きを行い（ステップＳ１）、その後、自己が所望するブースＢ１又はＢ２を見学する（ステップＳ２）。そしてその後、必要な展示物の見学が終わったら、退場受付２において展示会場Ｆからの退場時刻を含む必要な情報をリーダライタ２Ａを用いてＩＣタグＴＧに書き込ませると共に自己のＩＣタグＴＧを主催者側に返却する等の退場手続きを行って（ステップＳ３）展示会場Ｆ内の見学を終了する。
【００６７】
また、各ブースＢ１（又はＢ２）においては、図３（ｂ）に示すように、ブース受付３（又は７）においてブースＢ１への入場時刻を含む必要な情報をリーダライタ３Ａ（又は７Ａ）を用いてＩＣタグＴＧに書き込ませる等のブース入場手続きを行い（ステップＳ４）、その後必要な展示物の見学が終わったら、ブースＢ１（又はＢ２）自体から退場する際にその退場時刻を含む必要な情報をリーダライタ６Ａ（又は１０Ａ）を用いてＩＣタグＴＧに書き込ませる等のブース退場手続きを行って（ステップＳ５）、次のブースに移動する。
【００６８】
一方、上記入場者Ｐの移動に伴い、当該入場者Ｐが携行するＩＣタグＴＧ内のメモリには、各リーダライタ１Ａ、３Ａ、６Ａ、７Ａ、１０Ａ及び２Ａにより、図３（ｃ）に例示するブロック番号（当該メモリを複数の領域に区分して得られるブロックの番号）に対応する領域内に、夫々展示会場Ｆ自体への入場時刻（第１ブロック）、展示会場Ｆ自体からの退場時刻（第２ブロック）、ブースＢ１への入場時刻（第３ブロック）、ブースＢ１からの退場時刻（第４ブロック）、ブースＢ２への入場時刻（第５ブロック）、ブースＢ２からの退場時刻（第６ブロック）、…、が書き込まれる。なお、図３に示す例では、展示会場Ｆ自体への入場時刻はリーダライタ１Ａにより上記第１ブロックに書き込まれたものであり、展示会場Ｆ自体からの退場時刻はリーダライタ２Ａにより上記第２ブロックに書き込まれたものであり、ブースＢ１への入場時刻はリーダライタ３Ａにより上記第３ブロックに書き込まれたものであり、ブースＢ１からの退場時刻はリーダライタ６Ａにより第４ブロックに書き込まれたものであり、ブースＢ２への入場時刻はリーダライタ７Ａにより第５ブロックに書き込まれたものであり、ブースＢ２からの退場時刻はリーダライタ１０Ａにより第６ブロックに書き込まれたものである。
【００６９】
次に、各データベース５又は２１に蓄積される情報について、図４を用いて説明する。
【００７０】
先ず、展示会場Ｆ全体に係る会場用データベース２１には、各ＩＣタグＴＧを他のＩＣタグＴＧから識別するためのタグ識別情報と、そのＩＣタグＴＧを携行すべきとして予め対応付けられている入場者Ｐの氏名と、当該入場者Ｐが属している組織の名称と、を含む個人情報３０が、予め設定されている予定入場者分だけ格納されている。
【００７１】
また、同じく会場用データベース２１には、上記タグ識別情報と、そのＩＣタグＴＧを携行すべき入場者Ｐが入場又は退場した時刻と、その時刻が展示会場Ｆへの入場時刻を示すのか或いは展示会場Ｆからの退場時刻を示すのかを表す入退場フラグと、を含む個人情報３１が、今度は実際に展示会場Ｆに入場した入場者分だけ格納される。ここで、当該個人情報３１は、リーダライタ１Ａ又は２Ａに対して自己が携行しているＩＣタグＴＧを入場者Ｐが翳すことにより当該リーダライタ１Ａ（入場時刻）又は２Ａ（退場時刻）において読み取られた時刻情報が、当該リーダライタ１Ａ又は２Ａからホストコントローラ２０を介して会場用データベース２１に入力されることにより形成される。
【００７２】
次に、各ブースＢ１（又はＢ２）のみに係るブース用データベース５（又は９）には、上記タグ識別情報と、そのＩＣタグＴＧを携行した入場者Ｐが展示会場Ｆに入場した時刻を示す会場入場時刻と、そのＩＣタグＴＧを携行した入場者ＰがそのブースＢ１（又はＢ２）に入場した時刻を示すブース入場時刻と、を含む個人情報４０が、実際にブースＢ１（又はＢ２）に入場した入場者Ｐの数だけ格納される。ここで、当該個人情報４０は、リーダライタ３Ａ（又は７Ａ）に対して自己が携行しているＩＣタグＴＧを入場者Ｐが翳すことにより当該リーダライタ３Ａ（又は７Ａ）において読み取られた展示会場Ｆへの入場時刻と、各リーダライタ３Ａ（又は７Ａ）において計時しているそのブースＢ１（又はＢ２）への入場時刻と、が、当該リーダライタ３Ａ（又は７Ａ）からブース用データベース５（又は９）に入力されることにより形成される。
【００７３】
また、同じくブース用データベース５（又は９）には、上記タグ識別情報と、そのＩＣタグＴＧを携行する入場者ＰのブースＢ１（又はＢ２）からの退場時刻と、を含む個人情報４１が、実際にブースＢ１（又はＢ２）から退場した入場者Ｐの数だけ格納される。ここで、当該個人情報４１は、リーダライタ６Ａ（又は１０Ａ）に対して自己が携行しているＩＣタグＴＧを入場者Ｐが翳すことにより当該リーダライタ６Ａ（又は１０Ａ）において読み取られたそのブースＢ１（又はＢ２）からの退場時刻が、当該リーダライタ６Ａ（又は１０Ａ）からブース用データベース５（又は９）に入力されることにより形成される。
【００７４】
次に、上述した構成を有する実施形態に係る各リーダライタ１Ａ、２Ａ、３Ａ、６Ａ、７Ａ及び１０Ａのうち、当該リーダライタ１Ａ及び２Ａとホストコントローラ２０との間で実行される情報授受動作について、具体的に図５乃至図８を用いて説明する。
【００７５】
なお、以下に説明する情報授受動作において、リーダライタ１Ａが為すべき動作は、タグ識別情報の読み込み及びホストコントローラ２０への送信並びに展示会場Ｆへの入場時刻のＩＣタグＴＧにおける第１ブロックへの書込みであり、同様にリーダライタ２Ａの為すべき動作は、タグ識別情報の読み込み及びホストコントローラ２０への送信、展示会場Ｆからの退場時刻のＩＣタグＴＧにおける第２ブロックへの書込み並びに他の全てのブロックの初期化である。
【００７６】
図５に示すように、第１実施形態に係る情報授受動作においては、初めに、例えば展示会場Ｆを用いた展示会が開催される日の朝等においてリーダライタ１Ａ及び２Ａにおいて夫々の電源スイッチがオンとされると（ステップＳ１０）、当該リーダライタ１Ａ及び２Ａからホストコンピュータ２０に対して、当該リーダライタ１Ａ及び２Ａ並びにホストコンピュータ２０を含むネットワーク（例えばＬＡＮ（Local Area Network等））を構成する旨のネットワーク設定要求情報を送信する（ステップＳ１１）。
【００７７】
次に、当該ネットワーク設定要求情報を受信したホストコンピュータ２０は、当該受信したネットワーク設定要求情報の内容に基づいて必要なアドレス等をリーダライタ１Ａ及び２Ａに送信し（ステップＳ２０）、これにより、各リーダライタ１Ａ及び２Ａに対して必要なネットワークの設定を行わせる（ステップＳ１２）。
【００７８】
次に、必要なネットワークの設定が完了したか否かを確認し（ステップＳ１３）、完了していない場合は（ステップＳ１３；ＮＯ）そのままネットワークの設定を継続させ、一方、完了しているときは（ステップＳ１３；ＹＥＳ）、次に、各リーダライタ１Ａ及び２Ａがその展示会の日中において実行すべき動作の内容を示す動作内容情報の送信を要求する（ステップＳ１４）。
【００７９】
ここで、当該ステップＳ１４において、例えばリーダライタ１Ａからホストコントローラ２０へ送信される動作内容情報の要求としては、図６（ａ）に例示するように、そのリーダライタ１Ａを他のリーダライタから識別するためのアドレス（より具体的には、例えば当該リーダライタ１Ａがその製造時から有しているＭＡＣ（Media Access Control）アドレス等）と、要求する動作の属性（図６（ａ）の例では、リーダライタ１ＡにおけるＩＣタグＴＧに対する情報の読み（Ｒ）書き（Ｗ）の実行時に行う動作となる）と、具体的に実行すべき動作の具体的な内容等を示す機能フラグ値と、が、リーダライタ１Ａからホストコンピュータ２０に送信される。
【００８０】
次に、ホストコンピュータ２０内の上記メモリ２０Ａは、リーダライタ１Ａ及び２Ａ夫々について、夫々がその展示会の日中において実行すべき動作に対応する動作内容情報が予め記憶されており、リーダライタ１Ａ（又は２Ａ）から動作内容情報の要求を受けたホストコントローラ２０は、当該要求された動作内容情報をメモリ２０Ａ内から抽出し、これをリーダライタ１Ａ（又は２Ａ）に送信する（ステップＳ２１）。
【００８１】
ここで、当該ステップＳ２１において、例えばリーダライタ１Ａにホストコントローラ２０から送信される動作内容情報としては、図６（ｂ）に例示するように、そのリーダライタ１Ａに対応するアドレスと、リーダライタ１Ａにおいて実行するＩＣタグＴＧに対する読み書き動作における読み取り動作と書込み動作の順序と、読み込み動作が開始されるべきＩＣタグＴＧ内のブロック番号と、情報がリーダライタ１Ａに読み取られるＩＣタグＴＧ内のブロック数と、書込み動作が開始されるべきＩＣタグＴＧ内のブロック番号と、情報がリーダライタ１Ａから書込まれるＩＣタグＴＧ内のブロック数と、等を含む動作内容情報が、ホストコントローラ２０からリーダライタ１Ａに送信される。
【００８２】
そして、ステップＳ２１の処理において送信されてきた動作内容情報を用いてリーダライタ１Ａにおいてその動作内容情報の内容に対応する動作を実行するための設定処理を行い（ステップＳ１５）、当該内容の動作を実行して、当該動作結果をホストコンピュータ２０に送信する（ステップＳ１６）。
【００８３】
ここで、当該ステップＳ１６においてホストコントローラ２０に送信される結果情報としては、例えば図６（ｃ）に例示するように、その送信元であるリーダライタ１Ａを示すアドレスと、その時に読み取ったＩＣタグＴＧを識別するためのタグ識別情報と、結果情報として送信される情報のデータ長と、実際に読み取った内容と、が含まれている。
【００８４】
そして、この結果情報を受けたホストコントローラ２０は、当該結果情報を反映させた図６（ｄ）に例示する一時情報（送信元であるリーダライタ１Ａを示すアドレスと、読み取った日時と、その時に読み取ったＩＣタグＴＧを識別するためのタグ識別情報と、実際に読み取った内容と、を含んでいる）をメモリ２０Ａ内に形成し、この形成された一時情報を用いて、図４（ａ）に示した個人情報３１が会場用データベース２１内に形成される（ステップＳ２２）。
【００８５】
次に、必要な結果情報を送信したリーダライタ１Ａにおいてはその電源スイッチがオフとされたか否かが常に監視されており（ステップＳ１７）、電源スイッチがオフでないときは（ステップＳ１７；ＮＯ）そのまま上記ステップＳ６に戻って指示された動作をその電源スイッチがオフとされるまで継続し、一方、オフとされたときは（ステップＳ１７；ＹＥＳ）、実施形態に係るリーダライタ１Ａ（又は２Ａ）としての動作を終了する。
【００８６】
次に、上記ステップＳ１６において実行される動作について、より具体的に図７を用いて説明する。
【００８７】
図７に示すように、ステップＳ１６の処理においては、先ず、その時に検出されているＩＣタグＴＧのタグ識別情報を読み取る必要があるか否かを確認し（ステップＳ３０）、その必要がない場合（例えば、タグ識別情報が既知であるＩＣタグＴＧである場合等）には（ステップＳ３０；ＮＯ）、そのまま後述するステップＳ３２に移行し、一方、タグ識別情報を読み取る必要があるときは（ステップＳ３０；ＹＥＳ）、必要なタグ識別情報を読み取る（ステップＳ３１）。
【００８８】
次に、上記ステップＳ１５において設定された動作において、ＩＣタグＴＧに対する情報の読み書きにおいて、情報の読み込みが先であるか書込みが先であるかを、図６（ｂ）に例示された動作内容情報内の読み書き順序等を参照して判断する（ステップＳ３２）。
【００８９】
そして、ステップＳ３２の判定において、ＩＣタグＴＧからの情報の読み取りが先であると判定された場合は（ステップＳ３２；ＹＥＳ）、その時に検出しているＩＣタグＴＧからの必要な情報の読み込みを、必要な情報を全て読み込むまで行う（ステップＳ３４、Ｓ３５；ＮＯ）。
【００９０】
次に、当該読み込みが完了したら（ステップＳ３５；ＹＥＳ）、今度はその時に検出しているＩＣタグＴＧに対する必要な情報の書込みを、必要な情報を全て書き込むまで行う（ステップＳ３６、Ｓ３７；ＮＯ）。
【００９１】
そして、当該書込みが完了したら（ステップＳ３７；ＹＥＳ）、上記ステップＳ３４及びＳ３５の処理において読み込んだ情報をホストコントローラ２０に送信し（ステップＳ３８）、図５に示すステップＳ１７の判定に移行する。
【００９２】
一方、ステップＳ３２の判定において、ＩＣタグＴＧへの情報の書込みが先であると判定された場合は（ステップＳ３２；ＮＯ）、その時に検出しているＩＣタグＴＧに対する必要な情報の書込みを、必要な情報を全て書き込むまで行う（ステップＳ４０、Ｓ４１；ＮＯ）。
【００９３】
次に、当該書込みが完了したら（ステップＳ４１；ＹＥＳ）、今度はその時に検出しているＩＣタグＴＧからの必要な情報の読み取りを、必要な情報を全て読み取るまで行う（ステップＳ４２、Ｓ４３；ＮＯ）。
【００９４】
そして、当該読み取りが完了したら（ステップＳ４３；ＹＥＳ）、上記ステップＳ４２及びＳ４３の処理において読み込んだ情報をホストコントローラ２０に送信し（ステップＳ３８）、図５に示すステップＳ１７の判定に移行する。ここで、上記ステップＳ３８の処理により情報が送信されたホストコントローラ２０は、当該送信されてきた情報を図１に図示しない回線（例えば、リーダライタ１Ａ及び２Ａとホストコントローラ２０との間で構成されているローカルエリアネットワークと同様の回線又はインターネット等のネットワーク回線等）を介して例えばブース用データベース５に送信して蓄積させることも可能である。
【００９５】
なお、図７に示すフローチャートにおけるステップＳ３４、Ｓ３６、Ｓ４０又はＳ４２における情報の読み取り又は書込みは、動作内容情報に示されているＩＣタグＴＧ内のブロックのみを対象として夫々行われ、当該動作内容情報に示されていないブロックに対しては一切の情報の読み込み又は書込みが禁止されている。
【００９６】
また、第１実施形態に係る入退場管理システムＳにおいては、図８に示す動作が動作内容情報としてホストコンピュータ２０から例えばリーダライタ１Ａに送信されるわけであるが、この図８に示す動作に対応する動作内容情報を具体的に例えばＸＭＬ（eXtensible Markup Language）で記述したとすると、例えば図８に示すような動作内容情報Ｄとなる。
【００９７】
以上説明したように、第１実施形態に係る入退場管理システムＳの動作によれば、各リーダライタ１Ａ及び２Ａの稼動開始時において動作内容情報Ｄをホストコントローラ２０から夫々取得し、当該取得した動作内容情報Ｄにより示される動作を当該各リーダライタ１Ａ及び２Ａの稼動中に実行するので、動作内容情報Ｄを一括してホストコントローラ２０から取得し、その後は当該動作内容情報Ｄにより示される動作を各リーダライタ１Ａ及び２Ａにおいて実行することで、ホストコントローラ２０及び各リーダライタ１Ａ及び２Ａのみにより必要な入退場管理システムＳを構成してその構築に費やす人的、物的及び時間的コストを削減することができる。
【００９８】
また、動作内容情報Ｄの授受を各リーダライタ１Ａ及び２Ａの稼動開始時において一度に行うので、ホストコントローラ２０と各リーダライタ１Ａ及び２Ａとの間の情報の授受量を削減することができる。
【００９９】
更に、各リーダライタ１Ａ及び２Ａ毎に専用の制御装置として汎用のパーソナルコンピュータ等を用いる必要がないので、入退場管理システムＳの規模を縮小できると共に各リーダライタ１Ａ及び２Ａとホストコントローラ２０との間の情報授受の保全性を高めることができる。
【０１００】
更にまた、ＩＣタグＴＧからの非接触による情報の読み取り並びにホストコントローラ２０への送信を、低コストの入退場管理システムＳにより保全性を高めつつ且つ少ない情報の授受量で実現することができる。
【０１０１】
また、動作内容情報Ｄにより示されるＩＣタグＴＧ内の情報のみを読み取るので、ＩＣタグＴＧに記録されている情報の保全性を更に高めることができる。
【０１０２】
更に、ＩＣタグＴＧに対する非接触による情報の書込みを、低コストの入退場管理システムＳにより保全性を高めつつ且つ少ない情報の授受量で実現することができる。
【０１０３】
更にまた、動作内容情報Ｄにより示される情報のみを書き込むので、ＩＣタグＴＧへの情報の記録における情報の保全性を更に高めることができる。
【０１０４】
なお、上述した第１実施形態では、ホストコントローラ２０に直接接続されているリーダライタ１Ａ及び２Ａについて説明したが、他のリーダライタ３Ａ、６Ａ、７Ａ及び１０Ａも併せてホストコントローラ２０に接続し、全てを図５及び図７に示す手順で制御するように構成することもできる。
【０１０５】
この場合、第１実施形態の入退場管理システムＳにおけるリーダライタ１Ａの動作は、上述したようにタグ識別情報の読み込み及びホストコントローラ２０への送信並びに展示会場Ｆへの入場時刻のＩＣタグＴＧにおける第１ブロックへの書込みであり、同様にリーダライタ２Ａの動作は、上述したようにタグ識別情報の読み込み及びホストコントローラ２０への送信、展示会場Ｆからの退場時刻のＩＣタグＴＧにおける第２ブロックへの書込み並びに他の全てのブロックの初期化であるが、これに加えて、リーダライタ３Ａの動作は、タグ識別情報及びその時の第１ブロックの情報（すなわち、展示会場Ｆの入場時刻）の読み込み及びブース用データベース５への送信並びにブースＢ１への入場時刻のＩＣタグＴＧにおける第３ブロックへの書込みであり、リーダライタ６Ａの動作は、タグ識別情報の読み込み及びブース用データベース５への送信並びにブースＢ１からの退場時刻のＩＣタグＴＧにおける第４ブロックへの書込みであり、リーダライタ７Ａの動作は、タグ識別情報及びその時の第１ブロックに記録されている展示会場Ｆの入場時刻の読み込み及びブース用データベース９への送信並びにブースＢ２への入場時刻のＩＣタグＴＧにおける第５ブロックへの書込みであり、リーダライタ１０Ａの動作は、タグ識別情報の読み込み及びブース用データベース９への送信並びにブースＢ２からの退場時刻のＩＣタグＴＧにおける第７ブロックへの書込みである。
【０１０６】
そして、これら各リーダライタ３Ａ、６Ａ、７Ａ及び１０Ａの動作内容を示す動作内容情報を夫々別個にリーダライタ３Ａ、６Ａ、７Ａ及び１０Ａに送信することで（図５ステップＳ２１参照）、全てのリーダライタ１Ａ、２Ａ、３Ａ、６Ａ、７Ａ及び１０Ａを纏めてホストコントローラ２０により制御することができる。
【０１０７】
（II）第２実施形態
次に、本発明に係る他の実施形態である第２実施形態について、図９及び図１０を用いて説明する。
【０１０８】
なお、図９及び図１０は第２実施形態に係る入退場管理システムにおいて実行される情報授受動作を示すフローチャートである。また、図９及び図１０に示すフローチャートにおいて、図５に示す第１実施形態に係る情報授受動作と同様の処理については、同様のステップ番号を付して細部の説明は省略する。更に、第２実施形態に係る入退場管理システムの構成は、上述した第１実施形態に係る入退場管理システムＳの構成と同様であるので、こちらの細部の説明も省略する。
【０１０９】
以下に説明する第２実施形態に係る情報授受動作においては、上述した第１実施形態における情報授受動作に加えて、各リーダライタが正常に稼動しているか否かを監視する処理を行う。
【０１１０】
すなわち、第２実施形態に係る情報授受動作における各リーダライタ１Ａ又は２Ａでは、初めに図５に示すステップＳ１０乃至Ｓ１５の動作を実行した後、各リーダライタ１Ａ又は２Ａの稼動をやり直す（いわゆる再起動する）旨の指令がホストコントローラ２０から送信されてきているか否かを確認し（ステップＳ５０）、当該指令が送信されて来たならば（ステップＳ５０；ＹＥＳ）、上記ステップＳ１１に戻ってネットワーク設定から各リーダライタ１Ａ又は２Ａの起動をやり直す。なお、上記ステップＳ５０の処理は、各リーダライタ１Ａ又は２Ａが動作すべき内容をホストコントローラ２０側から変更しようとする場合に、当該各リーダライタ１Ａ又は２Ａ内に記憶されているプログラム自体を変更する（書き換える）ことをせずに、当該変更後の動作内容を定義付けた情報を各リーダライタ１Ａ又は２Ａに送信することで当該動作内容を変更する場合に有効となる処理である。
【０１１１】
一方、上記ステップＳ５０の判定において、再起動する旨の指令が送信されて来ていない場合には（ステップＳ５０；ＮＯ）、次に、実際にＩＣタグＴＧが検出できたか否かを確認し（ステップＳ５１）、検出できている場合は（ステップＳ５１；ＹＥＳ）、図５に示すステップＳ１６の処理を実行する。
【０１１２】
そして、当該ステップＳ１６の処理を実行した時刻（より具体的には、ＩＣタグＴＧから読み取った情報のホストコントローラ２０への送信完了時刻）をリーダライタ１Ａ又は２Ａ内のメモリ１７内に格納し（ステップＳ５２）、その後図５に示すステップＳ１７の処理を行ってリーダライタ１Ａ又は２Ａにおける処理を完了する。
【０１１３】
一方、ステップＳ５１の判定において、未だＩＣタグＴＧを検出していないときは（ステップＳ５１；ＮＯ）、予め設定されている一定の待機時間が経過したか否かを確認し（ステップＳ５３）、当該待機時間が経過していないうちは（ステップＳ５３；ＮＯ）上記ステップＳ１７の処理に移行する。他方、ＩＣタグＴＧが検出されないまま当該待機時間が経過したときは（ステップＳ５３；ＹＥＳ）、現在もリーダライタ１Ａ及び２Ａとして正常に稼動している旨の稼動情報をホストコントローラ２０に送信し（ステップＳ５４）、その後、その稼動情報の送信が成功したか否かを確認する（ステップＳ５５）。
【０１１４】
そして、当該稼動情報の送信が成功したら（ステップＳ５５；ＹＥＳ）、その後当該稼動情報を送信した時刻をメモリ１７内に格納して（ステップＳ５２）上記ステップＳ１７の処理に移行する。なお、この場合のステップＳ１７の処理において、電源スイッチがオフでないときは（ステップＳ１７；ＮＯ）上記ステップＳ５０に戻って各リーダライタ１Ａ又は２Ａの稼動をやり直す旨の指令がホストコントローラ２０から送信されてきているか否かを確認する（ステップＳ５０）。
【０１１５】
他方、ステップＳ５５の判定において、稼動情報の送信が不成功であった場合は（ステップＳ５５；ＮＯ）、リーダライタ１Ａ又は２Ａとホストコントローラ２０との間の接続上で何らかの障害が発生している可能性があるため、上記ステップＳ１１の処理に戻ってネットワークを構築し直す。
【０１１６】
次に、図９に示すリーダライタ１Ａ又は２Ａの動作に対応するホストコントローラ２０においては、図５に示すステップＳ２０及びＳ２１の処理を実行した後、リーダライタ１Ａ又は２ＡからＩＣタグＴＧから読み取った情報が送信されてきたか否かを確認し（ステップＳ６０）、送信されてきている場合は（ステップＳ６０；ＹＥＳ）、図５に示すステップＳ２２の処理を実行する。
【０１１７】
そして、当該ステップＳ２２の処理を実行した時刻（より具体的には、必要な情報を会場用データベース２１内に格納完了した時刻）をホストコントローラ２０内のメモリ２０Ａ内に格納し（ステップＳ６１）、ホストコントローラ２０としての処理を完了する。
【０１１８】
一方、ステップＳ６０の判定において、未だＩＣタグＴＧから読み取った情報が送信されて来ないときは（ステップＳ６０；ＮＯ）、予め設定されている一定時間だけ待機しつつリーダライタ１Ａ又は２Ａからの稼動情報の送信を待つ（ステップＳ６２；ＮＯ）。そして、当該一定時間が経過しても稼動情報が受信できなかったら（ステップＳ６２；ＹＥＳ）、リーダライタ１Ａ又は２Ａが例えば故障していると判断し、当該リーダライタ１Ａ又は２Ａとの間の接続を一旦切断し（ステップＳ６３）、上記ステップＳ２０の処理に戻ってネットワークを構築し直す。
【０１１９】
以上説明したように、第２実施形態に係る情報授受動作によれば、第１実施形態に係る情報授受動作の効果に加えて、稼動情報が予め設定されたタイミングで各リーダライタ１Ａ又は２Ａからホストコントローラ２０に送信されるので、ホストコントローラ２０において各リーダライタ１Ａ又は２Ａが稼動中か否かを把握することができる。
【０１２０】
（III）変形形態
上述してきた各実施形態では、各リーダライタのけるＩＣタグＴＧに対する情報の読み書きのみをホストコントローラから制御する場合について説明したが、これ以外に、例えば、ＩＣタグＴＧに対する情報の読み書きが正常に行われたか否かを音声で当該各リーダライタから入場者Ｐに告知する動作や当該情報の読み書きが正常にできなかった場合に赤色に発光させる動作などを、各リーダライタに実行させることもできる。
【０１２１】
このとき、例えば音声出力させる場合にホストコントローラから各リーダライタに送信される動作内容情報は、例えばこれをＸＭＬで記述した場合には図１１に例示するような動作内容情報ＤＤとなる。図１１においては、＜警告音＞で記述された音声がＩＣタグＴＧに対する情報の読み書きが正常に行われなかった場合に発せられる音声であり、＜正常音＞で記述された音声がＩＣタグＴＧに対する情報の読み書きが正常に行われた場合に発せられる音声である。
【０１２２】
このように、単なる情報の読み書き以外でも種々の動作が各リーダライタにおいて実現されるように対応する動作内容情報を記述することができる。
【０１２３】
また、上述した各実施形態及び変形形態における各リーダライタに対する動作内容情報のホストコントローラからの送信タイミングについては、各実施形態の如く各リーダライタからの要求があったときに送信するようにしてもよいし、予め設定された処理を行った後に所定の遅延時間を経て送信してもよいし、或いは動作内容情報を送信可能な全てのリーダライタからの要求情報を全て受け取った後に一斉に各リーダライタに対して動作内容情報を送信してもよい。
【０１２４】
なお、図５、図７、図９又は図１０に示すフローチャートに対応するプログラムをフレキシブルディスク又はハードディスク等の情報記録媒体に記録しておき、或いは当該プログラムをインター等のネットワークを介して取得して記録しておき、当該プログラムを読み出して汎用のマイクロコンピュータ等において実行することにより、当該マイクロコンピュータを実施形態に係るＣＰＵ１６又はホストコントローラ２０として機能させることも可能である。
【産業上の利用可能性】
【０１２５】
以上夫々説明したように、本発明は展示会場等の恒常的でない施設においてＩＣタグを用いる場合に利用することが可能であるが、これだけでなく、ＩＣタグに対する情報の読み書き複数のリーダライタを用いて行う場合に全て適用可能である。
【図面の簡単な説明】
【０１２６】
【図１】第１実施形態に係る入退場管理システムの概要構成を示すブロック図である。
【図２】第１実施形態に係るリーダライタの概要構成を示すブロック図である。
【図３】第１実施形態に係る入退場管理システムにおける入場者の流れ等を示す図であり、（ａ）は入場者が行う処理を示すフローチャート（Ｉ）であり、（ｂ）は入場者が行う処理を示すフローチャート（II）であり、（ｃ）はＩＣタグの内容を例示する図である。
【図４】第１実施形態に係る各データベースの内容を例示する図であり、（ａ）は会場用データベースの内容を示す図であり、（ｂ）はブース用データベースの内容を示す図である。
【図５】第１実施形態に係る情報授受動作を示すフローチャートである。
【図６】第１実施形態に係る情報授受動作において授受される情報を例示する図であり、（ａ）はリーダライタからホストコントローラへ送信される動作内容を要求する情報を例示するであり、（ｂ）はホストコントローラから各リーダライタへ送信される動作内容情報を例示する図であり、（ｃ）は各リーダライタからホストコントローラへ送信されるＩＣタグ内の情報を例示する図であり、（ｄ）はホストコントローラ内において一時的に生成される情報を例示する図である。
【図７】第１実施形態に係る情報授受動作の細部を示すフローチャートである。
【図８】第１実施形態に係る動作内容情報の記述例を示す図である。
【図９】第２実施形態に係る情報授受動作を示すフローチャート（Ｉ）である。
【図１０】第２実施形態に係る情報授受動作を示すフローチャート（II）である。
【図１１】変形形態に係る動作内容情報の記述例を示す図である。
【符号の説明】
【０１２７】
１    入場受付
１Ａ、２Ａ、３Ａ、６Ａ、７Ａ、１０Ａ    リーダライタ
２    退場受付
３、７    ブース受付
４、８    展示装置
５、９    ブース用データベース
１５    ネットワーク制御部
１６    ＣＰＵ
１７、２０Ａ    メモリ
１８    ＩＣタグ制御部
１９    アンテナ
２０    ホストコントローラ
２１    会場用データベース
３０、３１、４０、４１    個人情報
Ｂ１、Ｂ２    ブース
Ｆ    展示会場
Ｐ    入場者
ＴＧ    ＩＣタグ
Ｓ    入退場者管理システム
Ｄ、ＤＤ    動作内容情報
【図１】
2006163668.tif 000003
【図２】
2006163668.tif 000004
【図３】
2006163668.tif 000005
【図４】
2006163668.tif 000006
【図５】
2006163668.tif 000007
【図６】
2006163668.tif 000008
【図７】
2006163668.tif 000009
【図８】
2006163668.tif 000010
【図９】
2006163668.tif 000011
【図１０】
2006163668.tif 000012
【図１１】
2006163668.tif 000013